(57)【要約】【課題】ホストＰＣから送出される映像信号をプロジェクタ装置またはモニタ装置へ高速転送できるワイヤレスＵＷＢ通信システムとその実施に用いるＵＷＢ送受信機を提供する。【解決手段】ホストＰＣ１に設けたＵＳＢコネクタ１２にドングルタイプのＵＷＢ送受信機Ａを装着し、プロジェクタ装置２のＶＧＡコネクタ２１にＵＷＢ送受信機ＢのＶＧＡプラグ５１を装着し、前記ホストＰＣ１ではＶＧＡ信号をＵＳＢ信号に変換してＵＳＢコネクタ１２へ出力し、前記ＵＷＢ送受信機ＡのＤＣ電源は、前記ホストＰＣ１からＵＳＢコネクタのＤＣ端子を介して供給し、且つ前記ＵＷＢ送受信機ＢはＵＷＢ送受信回路５２と、ＵＳＢ／ＶＧＡ信号変換回路５３とＶＧＡプラグ５１とを備え、前記ＵＷＢ送受信回路５２とＵＳＢ／ＶＧＡ信号変換回路５３のＤＣ電源は前記プロジェクタ装置２に設けられたＶＧＡコネクタ２１を介して供給する。【選択図】図３
2009017105.tif 000002
【特許請求の範囲】
【請求項１】
ホストＰＣに設けたＵＳＢコネクタにドングルタイプのＵＷＢ送受信機Ａを装着し、外部デバイス装置のＶＧＡコネクタにＵＷＢ送受信機ＢのＶＧＡプラグを装着し、前記ホストＰＣではＶＧＡ信号をＵＳＢ信号に変換してＵＳＢコネクタへ出力し、前記ＵＷＢ送受信機ＡのＤＣ電源は、前記ホストＰＣからＵＳＢコネクタのＤＣ端子を介して供給し、且つ前記ＵＷＢ送受信機ＢはＵＷＢ送受信回路と、ＵＳＢ／ＶＧＡ信号変換回路とＶＧＡプラグとを備え、前記ＵＷＢ送受信回路とＵＳＢ／ＶＧＡ信号変換回路のＤＣ電源は前記外部デバイス装置に設けられたＶＧＡ端子またはＤＶＩコネクタの端子を介して供給するように構成したことを特徴とするホストＰＣとプロジェクタ装置またはモニタ装置間のワイヤレスＵＷＢ通信システム。
【請求項２】
ＵＷＢ送受信回路と、ＵＳＢ／ＶＧＡ信号変改回路とＶＧＡプラグとを備え、前記ＵＷＢ送受信回路とＵＳＢ／ＶＧＡ信号変改回路のＤＣ電源は、外部デバイス装置に設けられたＶＧＡコネクタまたはＤＶＩコネクタのＤＣ電源出力端子を介して供給するように構成したことを特徴とするプロジェクタ装置またはモニタ装置へ装着するＵＷＢ送受信機。
【発明の詳細な説明】
【技術分野】
【０００１】
本発明は、ホストＰＣから送出される映像信号をプロジェクタ装置またはモニタ装置へ高速転送できるワイヤレスＵＷＢ通信システムとその実施に用いる装置に関するものである。
【背景技術】
【０００２】
近年、ホストＰＣに取り込んだ動画やＤＶＤをプロジェクタ装置でスクリーンに映写して、プレゼンテーションを行ったり、居間をホームシアター化することが盛んになっていることは周知の通りであるが、その場合、図１に示すようにホストＰＣ１のＶＧＡポートとプロジェクタ装置２のＶＧＡポート間をＶＧＡケーブル３で接続する必要がある為、ホストＰＣ１とプロジェクタ装置２の設置場所が離れている場合には長尺のＶＧＡケーブルを用意しなければならず不便であった。
【０００３】
そこで、２００６年８月の電波法施行規定の改定により認可された、周波数３．４〜４．８ＧＨｚのＵＷＢ（Ｕｒｔｒａ  Ｗｉｄｅ  Ｂａｎｄ）を利用した低送信電力、近距離高速通信を実現するワイヤレスＵＷＢ通信システムを構築しようとする場合、ＵＷＢ送受信機をホストＰＣとプロジェクタ装置またはモニタ装置へ装着することが考えられる。しかしその場合、ＵＷＢ送受信機を起動させるには電源が必要である。
【０００４】
通常、図２に示すように、ホストＰＣ１側に取付けるＵＷＢ送受信機４は、ドングルタイプのＵＷＢ送受信機４として、ホストＰＣ１のＵＳＢコネクタに差込み、デバイス装置側（プロジェクタ装置２またはモニタ装置）のＵＷＢコネクタまたはケーブル付ＵＳＢコネクタにＵＷＢ送受信機５を取付け、ホストＰＣ１とデバイス装置間を無線でデータのやりとりを行うが、これらのＵＷＢ送受信機４、５は電源が必要であり、無線化したにも関わらずＡＣアダプター６などからの電源を必要とする。
【０００５】
ホストＰＣ１側はＵＳＢコネクタよりＤＣ電源の供給が受けられるが、デバイス装置側、即ちプロジェクタ装置２側はＤＣ電源を外部に出力するコネクタは備えていない為、電源供給を受けることができないので、プロジェクタ装置２側のＵＷＢ送受信機５にはＡＣアダプター（ＤＣ電源を供給）６が必要となる。
【特許文献１】特開２００６−１６４０８１号公報
【発明の開示】
【発明が解決しようとする課題】
【０００６】
そこで、本発明は、ホストＰＣから送出される映像信号をプロジェクタ装置またはモニタ装置へ高速転送できるワイヤレスＵＷＢ通信システムとその実施に用いるＵＷＢ送受信機を提供することを課題とするものである。
【課題を解決するための手段】
【０００７】
本発明は上記の課題を解決するためになされたもので、請求項１記載の発明は、ホストＰＣに設けたＵＳＢコネクタにドングルタイプのＵＷＢ送受信機Ａを装着し、外部デバイス装置のＶＧＡコネクタにＵＷＢ送受信機ＢのＶＧＡプラグを装着し、前記ホストＰＣではＶＧＡ信号をＵＳＢ信号に変換してＵＳＢコネクタへ出力し、前記ＵＷＢ送受信機ＡのＤＣ電源は、前記ホストＰＣからＵＳＢコネクタのＤＣ端子を介して供給し、且つ前記ＵＷＢ送受信機ＢはＵＷＢ送受信回路と、ＵＳＢ／ＶＧＡ信号変換回路とＶＧＡプラグとを備え、前記ＵＷＢ送受信回路とＵＳＢ／ＶＧＡ信号変換回路のＤＣ電源は前記外部デバイス装置に設けられたＶＧＡ端子またはＤＶＩコネクタの端子を介して供給するように構成したことを特徴とするホストＰＣとプロジェクタ装置またはモニタ装置間のワイヤレスＵＷＢ通信システムである。
【０００８】
請求項２記載の発明は、ＵＷＢ送受信回路と、ＵＳＢ／ＶＧＡ信号変改回路と、ＶＧＡプラグとを備え、前記ＵＷＢ送受信回路とＵＳＢ／ＶＧＡ信号変改回路のＤＣ電源は、外部デバイス装置に設けられたＶＧＡコネクタまたはＤＶＩコネクタのＤＣ電源出力端子を介して供給するように構成したことを特徴とするプロジェクタ装置またはモニタ装置へ装着するＵＷＢ送受信機である。
【０００９】
上記ＵＷＢ送受信機のＤＣ電源は、５ＶのＤＣ電源である。
【発明の効果】
【００１０】
本発明によれば、ホストＰＣと外部デバイス装置（プロジェクタ装置またはモニタ装置）間の高速ＵＷＢ無線通信を行うことが出来る。通信速度は３ｍで最大４８０Ｍｂｐｓ、１０ｍで１１０Ｍｂｐｓ程度であり、ハイビジョンなどの高画質の動画もスムーズに外部デバイス装置に送信することが出来る。
【００１１】
また、ＶＧＡケーブル配線が不要となり、しかも外部デバイス装置側のＵＷＢ送受信機にはＡＣアダプタが無いため最適のワイヤレスＵＷＢ通信システムを構築することが出来る。
【実施例１】
【００１２】
図３は、本発明の一実施例を示すブロック図、図４は電源供給回路の詳細を示したプロジェクタ装置のブロック図で、１はＶＧＡコネクタ１１とＵＳＢコネクタ１２を備えたホストＰＣ、ＡはＵＳＢプラグ４１を前記ＵＳＢコネクタ１２に嵌合させ、ホストＰＣ１に装着したＵＷＢ送受信機である。なお、ＶＧＡ信号はＵＳＢ信号に変換されてＵＳＢコネクタ１２の出力端子に供給される。
【００１３】
２はＶＧＡコネクタ２１を備えたプロジェクタ装置で、ＵＷＢ送受信機ＢのＶＧＡプラグ５１をＶＧＡコネクタ２１に挿し込んでプロジェクタ装置２に装着されている。
【００１４】
ＵＷＢ送受信機Ｂは、ＵＷＢ送受信回路５２と、ＵＳＢ／ＶＧＡ信号変換回路５３と前記ＶＧＡプラグ５１とを備え、ＶＧＡコネクタ２１とＶＧＡプラグの４ピンと５ピンから成る＋５ＶのＤＣ出力端子を介してプロジェクタ装置２から前記ＵＷＢ送受信回路５２とＵＳＢ／ＶＧＡ信号変換回路５３へ＋５ＶのＤＣ電源が供給されるように構成されている。なお、図４中２３は映像再生部である。
【００１５】
従って、ホストＰＣ１の制御によりＵＷＢ送受信機Ａからデジタル映像信号が送出されると、ＵＷＢ送受信機Ｂはそれを受信した後、ＵＳＢ／ＶＧＡ信号変換回路５３によりＶＧＡ信号に変換してプロジェクタ装置２のＶＧＡプラグ５１とＶＧＡコネクタ２１を介してアナログ映像信号をプロジェクタ装置２に入力させ、プロジェクタ装置２はアナログ信号を光に変換して映像をスクリーンへ投影させる。
【００１６】
以上、本発明によればＶＧＡケーブルを必要としないので、ホストＰＣ１とプロジェクタ装置２の配置に制約がなく、従って本発明ワイヤレスＵＷＢ通信システムは、プレゼンテーションを行う場合やホームシアター化する場合に自由度が高く、使い勝手が頗る良いという実益がある。
【実施例２】
【００１７】
図５は他の実施例を示すもので、この場合は、プロジェクタ装置２に装備されているＤＶＩコネクタ２２の１４ピンと１５ピンから成る５Ｖ出力端子を用い、接続コード７を介して、ＵＷＢ送受信機ＢのＵＷＢ送受信回路５２とＵＳＢ／ＶＧＡ信号変換回路５３に＋５ＶのＤＣ電源を供給するようにしたものである。
【００１８】
この方法によっても、ＡＣアダプタを用いないワイヤレスＵＷＢ通信システムを提供することが出来る。
【図面の簡単な説明】
【００１９】
【図１】従来のホストＰＣによるプロジェクタ装置の制御システム案のブロック図。
【図２】ＵＷＢ送受信機を用いるホストＰＣによるプロジェクタ装置の制御システム案のブロック図。
【図３】本発明の実施例１のブロック図。
【図４】実施例１におけるＶＧＡ端子を利用したＵＷＢ送受信機用ＤＣ電源供給回路の詳細を示したプロジェクタ装置のブロック図。
【図５】本発明の実施例２のブロック図。
【符号の説明】
【００２０】
１             ホストＰＣ
２             プロジェクタ装置
３             ＶＧＡケーブル
４，５，Ａ，Ｂ ＵＷＢ送受信機
６             ＡＣアダプター
７             接続コード
１１，２１     ＶＧＡコネクタ
１２           ＵＳＢコネクタ
４１，５１     ＵＳＢプラグ
５２           ＵＷＢ送受信回路
５３           ＵＳＢ／ＶＧＡ信号変換回路
【図１】
2009017105.tif 000003
【図２】
2009017105.tif 000004
【図３】
2009017105.tif 000005
【図４】
2009017105.tif 000006
【図５】
2009017105.tif 000007